(57)【要約】【課題】本発明は乾燥カバーに関するもので、乾燥温風による衣類の傷みを軽減することができるものである。【解決手段】そしてこの目的を達成するために本発明は、吸気口２と第１の排気口３とを有する縦長箱形状の本体ケース１と、この本体ケース１内に着脱自在なハンガー吊下げ手段４を設け、このハンガー吊下げ手段４に吊下げ可能な複数のハンガー５を備え、このハンガー５を出し入れ可能な出入口を本体ケース１に設け、吸気口２を本体ケース１の前面側の側面部に備え、第１の排気口３を本体ケース１の左右側の両側面部に設け、ハンガー吊下げ手段４に設置されたハンガー５は、吸気口２に対し垂直方向に配置した構成としたものである。【選択図】図１
2010268982.tif 000002
【特許請求の範囲】
【請求項１】
吸気口と第１の排気口とを有する縦長箱形状の本体ケースと、この本体ケース内に着脱自在なハンガー吊下げ手段を設け、このハンガー吊下げ手段に吊下げ可能な複数のハンガーを備え、このハンガーを出し入れ可能な出入口を前記本体ケースに設け、前記吸気口を前記本体ケースの前面側の側面部に備え、前記第１の排気口を前記本体ケースの左右側の両側面部に設け、ハンガー吊下げ手段に設置されたハンガーは、吸気口に対し垂直方向に配置した構成とした衣類乾燥ケース。
【請求項２】
吸気口は横長四角形状の開口で、この開口の上端部とハンガーの下端部とがほぼ同じ位置に構成された請求項１記載の衣類乾燥ケース。
【請求項３】
吸気口の下端部は、前面側の側面部長辺の中心線下付近に設定された請求項１または２のいずれかに記載の衣類乾燥ケース。
【請求項４】
第１の排気口は、前記本体ケースの左右側の両側面部の後面側下部に設けた請求項１〜３のいずれかに記載の衣類乾燥ケース。
【請求項５】
ハンガー吊下げ手段は、ハンガーの掛け位置を等間隔に配置する位置決め用の凹部を有した請求項１〜４のいずれかに記載の衣類乾燥ケース。
【請求項６】
ハンガー吊下げ手段は、ハンガーの掛け位置を中央部より両端部が、広い間隔に配置する位置決め用の凹部を有した請求項１〜４のいずれかに記載の衣類乾燥ケース。
【請求項７】
ハンガー吊下げ手段は、乾燥温風によるハンガー及び衣類の動きを抑制する補強リブを設けた請求項１〜６のいずれかに記載の衣類乾燥ケース。
【請求項８】
本体ケースに乾燥速度調整手段を設けた請求項１〜６のいずれかに記載の衣類乾燥ケース。
【請求項９】
本体ケースの左右側の両側面部の中央部に、第２の排気口を設け、この第２の排気口および第１の排気口には、開閉自在な開閉手段を設けた請求項８に記載の衣類乾燥ケース。
【請求項１０】
本体ケースは、防水加工を施したシートにより構成された請求項１〜９のいずれかに記載の衣類乾燥ケース。
【発明の詳細な説明】
【技術分野】
【０００１】
本発明は、衣類ハンガーに吊り下げられた衣類等の乾燥物を乾燥温風を供給して乾燥させる衣類乾燥ケースに関する。
【背景技術】
【０００２】
従来のこの種の衣類乾燥ケースの構成は以下のようになっていた。
【０００３】
すなわち、吸気口と排気口とを有する縦長箱形状の本体ケースと、この本体ケース内に着脱自在なハンガー吊下げ手段を設け、このハンガー吊下げ手段に吊下げ可能な複数のハンガーを備え、このハンガーを出し入れ可能な出入口を前記本体ケースに設け、前記吸気口を前記本体ケースの前面側の側面部に備え、前記排気口を前記本体ケースの前面側の側面部に設けた構成とした。
【先行技術文献】
【特許文献】
【０００４】
【特許文献１】特開２００１−１９０８９８号公報
【発明の概要】
【発明が解決しようとする課題】
【０００５】
上記従来例における課題は、衣類乾燥時に、過剰な乾燥温風によって、衣類によっては傷みが発生することであった。
【０００６】
すなわち、従来の物においては、吸気口から衣類乾燥ケース内部の衣類に対して、除湿装置等によって乾燥温風を当てることにより、衣類を乾燥させていた。
【０００７】
しかし、衣類乾燥ケース内部の衣類に対して、乾燥温風が均一に当たらないので、衣類を設置する場所によって乾きムラが生じ、乾き難い箇所が乾くまで、乾燥温風を当てると、すでに乾いた箇所には、必要以上に乾燥温風が当たることになり、衣類によっては傷みが発生する場合があった。
【０００８】
そこで本発明は、衣類乾燥ケース内部の衣類に対して、乾燥温風を均一に当てることにより、乾きムラを抑制し、乾燥温風による衣類の傷みを軽減することを目的とするものである。
【課題を解決するための手段】
【０００９】
そしてこの目的を達成するために本発明は、吸気口と第１の排気口とを有する縦長箱形状の本体ケースと、この本体ケース内に着脱自在なハンガー吊下げ手段を設け、このハンガー吊下げ手段に吊下げ可能な複数のハンガーを備え、このハンガーを出し入れ可能な出入口を前記本体ケースに設け、前記吸気口を前記本体ケースの前面側の側面部に備え、前記第１の排気口を前記本体ケースの左右側の両側面部に設け、ハンガー吊下げ手段に設置されたハンガーは、吸気口に対し垂直方向に配置した構成とした。
【００１０】
これにより、初期の目的を達成するものである。
【発明の効果】
【００１１】
以上のように本発明は、吸気口と第１の排気口とを有する縦長箱形状の本体ケースと、この本体ケース内に着脱自在なハンガー吊下げ手段を設け、このハンガー吊下げ手段に吊下げ可能な複数のハンガーを備え、このハンガーを出し入れ可能な出入口を前記本体ケースに設け、前記吸気口を前記本体ケースの前面側の側面部に備え、前記第１の排気口を前記本体ケースの左右側の両側面部に設け、ハンガー吊下げ手段に設置されたハンガーは、吸気口に対し垂直方向に配置した構成とし、乾燥温風による衣類の傷みを軽減するものである。
【００１２】
すなわち、吸気口を本体ケースの前面側の側面部に備え、第１の排気口を本体ケースの左右側の両側面部に設け、ハンガー吊下げ手段に設置されたハンガーは、吸気口に対し垂直方向に配置したので、本体ケース前面側の側面部の吸気口から本体ケース内に、除湿装置等によって乾燥温風を送風すると、この乾燥温風は衣類上部表面に対して平行に流れ、本体ケースの背面側の側面部に当たり、本体ケースの背面側の側面部から上下左右方向に分散する。ここで、下方向に分散した乾燥温風は、本体ケースの底面に当たり、主に本体ケースの前面側の側面部方向に流れる。つまり、衣類下部表面に対して平行に流れるものである。また、左右方向に分散した乾燥温風は、それぞれ本体ケースの左右側の側面部に当たり、主に本体ケースの左右側の側面に沿って流れる。そして最後に、乾燥温風は本体ケースの左右側の両側面部に設けた第１の排気口から排気されるものである。
【００１３】
このように、本体ケース内の乾燥温風は、本体ケースの左右側の両側面部の近傍に設置された本体ケース内で最も乾き難い衣類周辺部を通過し、本体ケースの左右側の両側面部に設けた第１の排気口から排気されるので、本体ケースの左右側の両側面部の近傍に設置された衣類の乾燥が速くなり、本体ケースの中央部に設置された衣類の乾燥速度に更に近づき、乾きムラを抑制できるものである。
【００１４】
これらの結果により、乾燥温風による衣類の傷みを軽減することができるものである。
【図面の簡単な説明】
【００１５】
【図１】本発明の実施の形態１の衣類乾燥ケースの概略図
【図２】本発明の実施の形態１の衣類乾燥ケースの概略断面図
【図３】本発明の実施の形態１の衣類乾燥ケースの概略図
【図４】本発明の実施の形態１の衣類乾燥ケースの概略断面図
【図５】本発明の実施の形態２の衣類乾燥ケースの概略断面図
【図６】本発明の実施の形態１の衣類乾燥ケースの概略図
【発明を実施するための形態】
【００１６】
以下、本実施形態を添付図面を用いて説明する。
【００１７】
（実施の形態１）
図１および図２に示すように、吸気口２と第１の排気口３とを有する縦長箱形状の本体ケース１と、この本体ケース１内に着脱自在なハンガー吊下げ手段４を設けている。吸気口２は横長四角形状の開口で本体ケース１の前面側の側面部に設け、第１の排気口３は円形状の開口で本体ケース１の左右側の両側面部に設けたものである。ハンガー吊下げ手段４は、本体ケース１の上部に、本体ケース１の左右側の両側面部に両端を固定された円柱形状の物干し棒４Ａである。このハンガー吊下げ手段４である物干し棒４Ａに吊下げ可能な複数のハンガー５を備え、このハンガー５を出し入れ可能な出入口６を本体ケース１の天面に設けている。ハンガー５は、上部にはハンガー吊下げ手段４である物干し棒４Ａに吊下げ可能なフック形状のフック部５Ａを備え、このフック部５Ａの下部には衣類８を着脱自在の固定できる略三角形状の衣類固定部５Ｂを設けている。
【００１８】
以上の構成において、図３に示すように、本体ケース１の前面側に除湿装置７を置き、本体ケース１の吸気口２に乾燥温風を送風し、本体ケース１内の衣類８を乾燥させるものである。
【００１９】
本実施形態における特徴は、ハンガー吊下げ手段４に設置されたハンガー５は、吸気口２に対し垂直方向に配置した点である。
【００２０】
すなわち、吸気口２を本体ケース１の前面側の側面部に備え、第１の排気口３を本体ケース１の左右側の両側面部に設け、ハンガー吊下げ手段４に設置されたハンガー５は、吸気口２に対し垂直方向に配置したので、本体ケース１前面側の側面部の吸気口２から本体ケース１内に、除湿装置７等によって乾燥温風を送風すると、この乾燥温風は衣類８上部表面に対して平行に流れ、本体ケース１の背面側の側面部に当たり、本体ケース１の背面側の側面部から上下左右方向に分散する。ここで、下方向に分散した乾燥温風は、本体ケース１の底面に当たり、主に本体ケース１の前面側の側面部方向に流れる。つまり、衣類８下部表面に対して平行に流れるものである。また、左右方向に分散した乾燥温風は、それぞれ本体ケース１の左右側の側面部に当たり、主に本体ケース１の左右側の側面に沿って流れる。そして最後に、乾燥温風は本体ケースの左右側の両側面部に設けた第１の排気口３から排気されるものである。
【００２１】
このように、本体ケース１内の乾燥温風は、最後に本体ケース１の左右側の両側面部の近傍に設置された本体ケース１内で最も乾き難い衣類８Ａ、衣類８Ｂ周辺部を通過し、本体ケースの左右側の両側面部に設けた第１の排気口３から排気されるので、本体ケース１の左右側の両側面部の近傍に設置された衣類８Ａ、衣類８Ｂの乾燥が速くなり、本体ケース１の中央部に設置された衣類８Ｃの乾燥速度に近づき、乾きムラを抑制できるものである。
【００２２】
これらの結果により、乾燥温風による衣類８の傷みを軽減することができるものである。
【００２３】
また、吸気口２は横長四角形状の開口で、この開口の上端部２Ａとハンガー５の下端部とがほぼ同じ位置に構成されたものである。具体的には、吸気口２の開口の上端部２Ａと本体ケース１の底面との距離と、ハンガー吊下げ手段４である物干し棒４Ａに設置されたハンガー５の下端と本体ケース１の底面との距離とが等しい位置関係となるものである。
【００２４】
すなわち、吸気口２から送られた乾燥温風が、他の部位に比べ乾き難い衣類８の上部、つまり衣類８の生地が重なりあった襟部分に最初に当たるので、衣類８の上部の乾燥ムラを抑制できるものである。
【００２５】
また、吸気口２の下端部２Ｂは、本体ケース１の前面側の側面部長辺の中心線下付近に設定されたものである。具体的には、吸気口２は、ほぼ本体ケース１の前面側の側面部における上下方向の中央部に位置するものである。
【００２６】
すなわち、吸気口２から送られた乾燥温風は、本体ケース１内の上下方向におけるほぼ中央を通過した後、本体ケース１の背面側の側面部から上下左右方向に分散し、本体ケース１の上部および下部にほぼ均一に乾燥温風の流れができるので、本体ケース１内においても満遍なく乾燥温風が流れ、衣類８の乾燥ムラを抑制できるものである。
【００２７】
また、第１の排気口３は、本体ケース１の左右側の両側面部の後面側下部に設けたものである。
【００２８】
すなわち、本体ケース１前面側の側面部の吸気口２から本体ケース１内に、除湿装置７等によって乾燥温風を送風すると、この乾燥温風は衣類８上部表面に対して平行に流れ、本体ケース１の背面側の側面部に当たり、本体ケース１の背面側の側面部から上下左右方向に分散する。ここで、下方向に分散した乾燥温風は、本体ケース１の底面に当たり、主に本体ケース１の前面側の側面部方向に流れる。つまり、衣類８下部表面に対して平行に流れるものである。また、左右方向に分散した乾燥温風は、それぞれ本体ケース１の左右側の側面部に当たり、主に本体ケース１の左右側の側面に沿って流れる。そして最後に、乾燥温風は本体ケースの左右側の両側面部の後面側下部に設けた第１の排気口３から排気されるものである。
【００２９】
このように、本体ケース１内の乾燥温風は、本体ケース１の左右側の両側面部の近傍に設置された本体ケース１内で最も乾き難い衣類８Ａ、衣類８Ｂ周辺部を、主に上部から下部方向に乾燥温風の多くが通過し、本体ケースの左右側の両側面部の後面側下部に設けた第１の排気口３から排気されるので、本体ケース１の左右側の両側面部の近傍に設置された衣類８Ａ、衣類８Ｂの乾燥が速くなり、本体ケース１の中央部に設置された衣類８Ｃの乾燥速度に更に近づき、乾きムラを抑制できるものである。
【００３０】
また、図４に示すように、ハンガー吊下げ手段４は、ハンガーの掛け位置を等間隔に配置する位置決め用の凹部４Ｂを有したものである。具体的には、ハンガー吊下げ手段４は、本体ケース１の上部に、本体ケース１の左右側の両側面部に両端を固定された円柱形状の物干し棒４Ａであり、この物干し棒４Ａの上面部に、凹形状の切り欠きである凹部４Ｂを有したものである。この凹部４Ｂが、物干し棒４Ａの上面部に等間隔に配置されているものである。
【００３１】
すなわち、物干し棒４Ａの上面部に等間隔に配置された凹部４Ｂに、ハンガー５のフック部５Ａが入り込み、ハンガー５が等間隔に設けられるので、衣類８と衣類８との空間が均一になり乾燥温風が当たる面積も各衣類８によって差が小さくなるので、乾きムラを抑制できるものである。
【００３２】
また、ハンガー吊下げ手段４は、乾燥温風によるハンガー５及び衣類８の動きを抑制する補強リブ４Ｃを設けたものである。具体的には、ハンガー吊下げ手段４は、本体ケース１の上部に、本体ケース１の左右側の両側面部に両端を固定された円柱形状の物干し棒４Ａであり、この物干し棒４Ａの上面部に、凹形状の切り欠きである凹部４Ｂを有し、この凹部４Ｂの両端部に補強リブ４Ｃを設けたものである。この補強リブ４Ｃは、物干し棒４Ａの上面部に設けた凹部４Ｂの両端部より上方向に延びた一対の略四角形状の平板である。
【００３３】
すなわち、物干し棒４Ａにハンガー５を設置する場合に、物干し棒４Ａの上面部に等間隔に配置された凹部４Ｂに、ハンガー５のフック部５Ａが入り込むと共に、ハンガー５のフック部５Ａが、物干し棒４Ａの上面部に設けた凹部４Ｂの両端部より上方向に延びた一対の略四角形状の平板である補強リブ４Ｃの間に挟まるものである。これにより、ハンガー５のフック部５Ａの下部に備えた略三角形状の衣類固定部５Ｂが、乾燥温風によって本体ケース１の左右側の両側面部方向へブレルことを抑制できる。つまり、衣類８に乾燥温風が当たることによって、ハンガー５の略三角形状の衣類固定部５Ｂの本体ケース１の前面側の衣類固定前面部５Ｃと、本体ケース１の背面側の衣類固定背面部５Ｄとが互い違いに、本体ケース１の左右側の両側面部方向へブレルことを抑制できるので、衣類８と衣類８との空間が均一になり乾燥温風が当たる面積も各衣類８によって差が小さくなり、乾きムラを抑制できるものである。
【００３４】
また、本体ケース１は、防水加工を施したシートにより構成されたものである。すなわち、本体ケース１前面側の側面部の吸気口２から本体ケース１内に、除湿装置７等によって乾燥温風が本体ケース１であるシートから漏れることを抑制できるので、本体ケース１内の風の流れを作ることが容易にできる。
【００３５】
（実施の形態２）
以下、本発明の実施の形態２における衣類乾燥ケースについて図面を参照しながら説明する。なお、実施の形態１の構成と同様の構成を有するものについては、同一符号を付してその説明を省略する。
【００３６】
実施の形態１と相違する点は、図５に示すように、ハンガー吊下げ手段９は、ハンガーの掛け位置を中央部より両端部が、広い間隔に配置する位置決め用の凹部９Ｂを有した点である。具体的には、ハンガー吊下げ手段９は、本体ケース１の上部に、本体ケース１の左右側の両側面部に両端を固定された円柱形状の物干し棒９Ａであり、この物干し棒９Ａの上面部に、凹形状の切り欠きである凹部９Ｂを有したものである。この凹部９Ｂが、物干し棒９Ａの中央部での凹部９Ｂの間隔より、物干し棒９Ａの両端部での凹部９Ｂの間隔が広いものである。
【００３７】
すなわち、物干し棒９Ａの上面部に等間隔に配置された凹部９Ｂに、ハンガー５のフック部５Ａが入り込み、ハンガー５が設けられる。ここで、衣類８と衣類８との空間は、物干し棒９Ａの中央部での間隔より、物干し棒９Ａの両端部での間隔が広いので、物干し棒９Ａの中央部の衣類８に比べ乾き難い物干し棒９Ａの両端部の衣類８Ａの間隔、および衣類８Ｂの間隔である空間が広がり、その空間を流れる乾燥温風の風量が増えるので、物干し棒９Ａの中央部の衣類８Ｃと両端部の衣類８Ａ、衣類８Ｂとの乾きムラを抑制できるものである。
【００３８】
（実施の形態３）
以下、本発明の実施の形態２における衣類乾燥ケースについて図面を参照しながら説明する。なお、実施の形態１の構成と同様の構成を有するものについては、同一符号を付してその説明を省略する。
【００３９】
実施の形態１と相違する点は、図６に示すように、本体ケース１に乾燥速度調整手段１０を設けた点である。具体的には、本体ケース１の左右側の両側面部の中央部に、円形状の開口である第２の排気口１１を設け、この第２の排気口１１および第１の排気口３には、開閉自在な開閉手段１２を設けたものである。この開閉手段１２は、円板形状のシートをマジックテープ（登録商標）等によって、第１の排気口３および第２の排気口１１の開口を開閉できるものである。
【００４０】
以上の構成において、まず、洗濯物である衣類８の厚みがほぼ同じ場合には、第１の排気口３を開口を開き、第２の排気口１１の開口は閉じるものである。これにより、本体ケース１内の乾燥温風は、本体ケース１の左右側の両側面部の近傍に設置された本体ケース１内で最も乾き難い衣類８周辺部を、主に上部から下部方向に乾燥温風の多くが通過し、本体ケースの左右側の両側面部の後面側下部に設けた第１の排気口３から排気されるので、本体ケース１の左右側の両側面部の近傍に設置された衣類８の乾燥が速くなり、本体ケース１の中央部に設置された衣類８の乾燥速度に更に近づき、乾きムラを抑制できるものである。
【００４１】
また、洗濯物である衣類８の厚みが違う場合には、第２の排気口１１の開口は開き、第１の排気口３の開口は閉じ、衣類８の厚みが分厚いものを物干し棒９Ａの中央部に設置し、衣類８の厚みが薄いものを物干し棒９Ａの両端部に設置するものである。
【００４２】
すなわち、第２の排気口１１は第１の排気口３に比べ、物干し棒９Ａの両端部の衣類８の乾燥時間が長くなるが、物干し棒９Ａの中央部に設置された衣類８の厚みが分厚いので、この中央部に設置された衣類８の乾燥時間も長くなり、結果として、乾きムラを抑制できるものである。
【産業上の利用可能性】
【００４３】
以上のように本発明は、吸気口と第１の排気口とを有する縦長箱形状の本体ケースと、この本体ケース内に着脱自在なハンガー吊下げ手段を設け、このハンガー吊下げ手段に吊下げ可能な複数のハンガーを備え、このハンガーを出し入れ可能な出入口を前記本体ケースに設け、前記吸気口を前記本体ケースの前面側の側面部に備え、前記第１の排気口を前記本体ケースの左右側の両側面部に設け、ハンガー吊下げ手段に設置されたハンガーは、吸気口に対し垂直方向に配置した構成とし、乾燥温風による衣類の傷みを軽減するものである。
【００４４】
すなわち、吸気口を本体ケースの前面側の側面部に備え、第１の排気口を本体ケースの左右側の両側面部に設け、ハンガー吊下げ手段に設置されたハンガーは、吸気口に対し垂直方向に配置したので、本体ケース前面側の側面部の吸気口から本体ケース内に、除湿装置等によって乾燥温風を送風すると、この乾燥温風は衣類上部表面に対して平行に流れ、本体ケースの背面側の側面部に当たり、本体ケースの背面側の側面部から上下左右方向に分散する。ここで、下方向に分散した乾燥温風は、本体ケースの底面に当たり、主に本体ケースの前面側の側面部方向に流れる。つまり、衣類下部表面に対して平行に流れるものである。また、左右方向に分散した乾燥温風は、それぞれ本体ケースの左右側の側面部に当たり、主に本体ケースの左右側の側面に沿って流れる。そして最後に、乾燥温風は本体ケースの左右側の両側面部に設けた第１の排気口から排気されるものである。
【００４５】
このように、本体ケース内の乾燥温風は、本体ケースの左右側の両側面部の近傍に設置された本体ケース内で最も乾き難い衣類周辺部を通過し、本体ケースの左右側の両側面部に設けた第１の排気口から排気されるので、本体ケースの左右側の両側面部の近傍に設置された衣類の乾燥が速くなり、本体ケースの中央部に設置された衣類の乾燥速度に更に近づき、乾きムラを抑制できるものである。
【００４６】
これらの結果により、乾燥温風による衣類の傷みを軽減することができるものである。
【００４７】
従って、家庭用や事務所用などの、衣類乾燥ケースとして活用が期待されるものである。
【符号の説明】
【００４８】
１    本体ケース
２    吸気口
３    第１の排気口
４    ハンガー吊下げ手段
４Ａ  物干し棒
４Ｂ  凹部
４Ｃ  補強リブ
５    ハンガー
５Ａ  フック部
５Ｃ  衣類固定前面部
５Ｄ  衣類固定背面部
６    出入口
７    除湿装置
８    衣類
８Ａ  衣類
８Ｂ  衣類
８Ｃ  衣類
９    ハンガー吊下げ手段
９Ａ  物干し棒
９Ｂ  凹部
１０  乾燥速度調整手段
１１  第２の排気口
１２  開閉手段
【図１】
2010268982.tif 000003
【図２】
2010268982.tif 000004
【図３】
2010268982.tif 000005
【図４】
2010268982.tif 000006
【図５】
2010268982.tif 000007
【図６】
2010268982.tif 000008